(57)【要約】【課題】  記憶されている文書ファイルについても部分コピーを行えたり、指定された部分コピー領域と原稿領域や定形転写紙サイズとの関係に応じて柔軟な印刷出力制御を行えたりする画像形成装置を提供する。【解決手段】  シート状原稿から画像を読み取る画像読み取り手段と、読み取られた画像データによりロール転写紙または定形転写紙に画像を形成する画像形成手段とを備えた画像形成装置において、ＣＰＵ１１１は、コピー対象の原稿について部分コピー領域を操作部により数値で指定させ、指定された部分コピー領域と原稿領域や定形転写紙サイズとの関係に応じて部分コピー出力制御を行う構成にした。また、ＣＩＳ１０８により読み取られた１つまたは複数の画像ファイルをＨＤＤ１０３に記憶しておき、ＣＰＵ１１１は記憶されているコピー対象の画像ファイルについて部分コピー領域を指定させる構成にした。【選択図】        図５
2006154147.tif 000002
【特許請求の範囲】
【請求項１】
シート状の原稿から画像を読み取る画像読み取り手段と、該画像読み取り手段により読み取られた画像データを用いてロール転写紙上または定形転写紙上に画像を形成する画像形成手段とを備えた画像形成装置において、コピー対象の原稿について部分コピー領域を指定させる領域指定手段と、該領域指定手段により指定された部分コピー領域と原稿領域との関係に応じた部分コピー出力制御を行う出力制御手段とを備えたことを特徴とする画像形成装置。
【請求項２】
請求項１記載の画像形成装置において、前記出力制御手段は、前記領域指定手段により指定された部分コピー領域と定形転写紙のサイズとの関係に応じた部分コピー出力制御を行うことを特徴とする画像形成装置。
【請求項３】
請求項１または請求項２記載の画像形成装置において、前記画像読み取り手段により読み取られた１つまたは複数の画像ファイルを記憶する画像記憶手段を備え、前記領域指定手段は、前記画像記憶手段に記憶されたコピー対象の画像ファイルについて部分コピー領域を指定することを特徴とする画像形成装置。
【請求項４】
請求項１、請求項２、または請求項３記載の画像形成装置において、前記領域指定手段は、部分コピー領域の開始位置と終了位置を、長さを示す数値で入力させることにより前記部分コピー領域を指定させることを特徴とする画像形成装置。
【請求項５】
請求項１乃至請求項４のいずれか一項に記載の画像形成装置において、指定された部分コピー領域と当該原稿領域とが一部でも重なる場合には印刷を実行する構成にしたことを特徴とする画像形成装置。
【請求項６】
請求項５記載の画像形成装置において、複数画像ファイルまたは複数ページを連続して部分コピーする場合に、指定された部分コピー領域と当該原稿領域とがまったく重ならないために部分コピーを実行しなかったときは、後続の画像ファイルまたはページの部分コピーを実行せずに中断するか否かを選択させるようにしたことを特徴とする画像形成装置。
【請求項７】
請求項６記載の画像形成装置において、前記選択時点で中断しないとき、後続の画像ファイルまたはページの部分コピーで同様にして印刷が実行されなかった場合に中断するか当該画像ファイルまたはページのみスキップして続行するかを前記選択時点で選択させる構成にしたことを特徴とする画像形成装置。
【発明の詳細な説明】
【技術分野】
【０００１】
本発明は、シート状の原稿から読み取った画像をロール紙や定形紙などにコピーする画像形成装置に係り、特にその部分コピーの制御に関する。
【背景技術】
【０００２】
シート状原稿の画像を広幅のロール紙などにコピーする従来の画像形成装置では、原稿の搬送方向長（副走査方向長）に合わせて転写ロール紙をカットする。また、原稿読み取り時に原稿の一部を指定して部分コピーを行うことができる。
例えば特許文献１に示された従来技術では、部分コピーが指示された後、原稿搬送手段により搬送された原稿内の部分コピー領域始端部としたい位置があらかじめ設定された位置に達したとき、その位置を部分コピー領域始端部とすることを操作者に指示させ、続いて、部分コピー領域終端部としたい位置があらかじめ設定された位置に達したとき、その位置を部分コピー領域終端部とすることを操作者に指示させ、指示された始端部から終端部まで部分コピーする。または始端部のみ指示させて始端部から原稿の終端まで部分コピーする。
また、特許文献２に示された従来技術では、図７に示したように、原稿の左側端部または右側端部（図示の例では左側端部）に、コピーしたい部分のみまたはコピーしたくない部分（図示の例ではコピーしたい部分）のみ黒色でラインＬを引き、ライン読み取りセンサ１５０によりラインＬを読み取らせ、ラインが引かれた部分またはラインが引かれていない部分のみをコピーする。
また、特許文献３に示された従来技術では、コロナ放電帯電装置を用いた部分コピーにおいて、感光体ドラム表面を帯電させる際、主走査方向を一部領域だけ帯電させるようにして原稿の搬送方向（副走査方向）だけでなく、横幅方向（主走査方向）についても部分コピーを可能にしている。
【特許文献１】特開平９−６２０５号公報
【特許文献２】特開平９−２９２７９４号公報
【特許文献３】特開平１０−２０６２４号公報
【発明の開示】
【発明が解決しようとする課題】
【０００３】
しかしながら、従来技術では、原稿を表示する手段を持たない画像形成装置において部分コピーの領域を指定できるのは原稿読み取り時のみであり、読み取り後、つまり記憶されている文書ファイル（画像データ）については部分コピーができなかった。また、従来技術では、指定された部分コピー領域と原稿領域との関係に応じて、または指定された部分コピー領域と定形転写紙のサイズとの関係に応じて柔軟な印刷出力制御を行うことができなかった。
本発明の目的は、このような従来技術の問題を解決しようとするものであり、具体的には、記憶されている文書ファイル（画像データ）についても部分コピーができる画像形成装置や、指定された部分コピー領域と原稿領域との関係に応じて、または指定された部分コピー領域と定形転写紙のサイズとの関係に応じて柔軟な印刷出力制御を行うことができる画像形成装置を提供することにある。
【課題を解決するための手段】
【０００４】
前記した課題を解決するために、請求項１記載の発明では、シート状の原稿から画像を読み取る画像読み取り手段と、該画像読み取り手段により読み取られた画像データを用いてロール転写紙上または定形転写紙上に画像を形成する画像形成手段とを備えた画像形成装置において、コピー対象の原稿について部分コピー領域を指定させる領域指定手段と、該領域指定手段により指定された部分コピー領域と原稿領域との関係に応じた部分コピー出力制御を行う出力制御手段とを備えたことを特徴とする。
また、請求項２記載の発明では、請求項１記載の画像形成装置において、前記出力制御手段は、前記領域指定手段により指定された部分コピー領域と定形転写紙のサイズとの関係に応じた部分コピー出力制御を行うことを特徴とする。
また、請求項３記載の発明では、請求項１または請求項２記載の画像形成装置において、前記画像読み取り手段により読み取られた１つまたは複数の画像ファイルを記憶する画像記憶手段を備え、前記領域指定手段は、前記画像記憶手段に記憶されたコピー対象の画像ファイルについて部分コピー領域を指定することを特徴とする。
また、請求項４記載の発明では、請求項１、請求項２、または請求項３記載の画像形成装置において、前記領域指定手段は、部分コピー領域の開始位置と終了位置を、長さを示す数値で入力させることにより前記部分コピー領域を指定させることを特徴とする。
また、請求項５記載の発明では、請求項１乃至請求項４のいずれか一項に記載の画像形成装置において、指定された部分コピー領域と当該原稿領域とが一部でも重なる場合には印刷を実行する構成にしたことを特徴とする。
また、請求項６記載の発明では、請求項５記載の画像形成装置において、複数画像ファイルまたは複数ページを連続して部分コピーする場合に、指定された部分コピー領域と当該原稿領域とがまったく重ならないために部分コピーを実行しなかったときは、後続の画像ファイルまたはページの部分コピーを実行せずに中断するか否かを選択させるようにしたことを特徴とする。
また、請求項７記載の発明では、請求項６記載の画像形成装置において、前記選択時点で中断しないとき、後続の画像ファイルまたはページの部分コピーで同様にして印刷が実行されなかった場合に中断するか当該画像ファイルまたはページのみスキップして続行するかを前記選択時点で選択させる構成にしたことを特徴とする。
【発明の効果】
【０００５】
本発明によれば、請求項１記載の発明では、シート状の原稿から画像を読み取り、読み取られた画像データを用いてロール転写紙上または定形転写紙上に画像を形成する際、部分コピー領域を指定させ、例えば部分コピー領域の終了位置が原稿領域外にはみ出していたならば原稿領域の後端までコピーするというように部分コピー領域と原稿領域との関係に応じた部分コピー出力制御を行うことができるので、部分コピー領域の指定し直しなどが不要となり、作業効率を向上させることができる。
また、請求項２記載の発明では、請求項１記載の発明において、例えば部分コピー領域の終了位置が定形転写紙の後端をはみ出していたならば定形転写紙の後端までコピーするというように指定された部分コピー領域と定形転写紙のサイズとの関係に応じた部分コピー出力制御を行うことができるので、部分コピー領域の指定し直しなどが不要となり、作業効率をさらに向上させることができる。
また、請求項３記載の発明では、請求項１または請求項２記載の発明において、読み取られた１つまたは複数の画像ファイルを記憶しておき、記憶されたコピー対象の画像ファイルについて部分コピー領域を指定できるので、部分コピーの対象原稿を拡げることができる。
また、請求項４記載の発明では、請求項１、請求項２、または請求項３記載の発明において、部分コピー領域の開始位置と終了位置を、長さを示す数値で入力させることにより部分コピー領域を指定できるので、原稿を表示させる表示手段が不要になるし、原稿を汚してしまうという特許文献２の従来技術が有する問題を解消できる。
また、請求項５記載の発明では、請求項１乃至請求項４のいずれか一項に記載の発明において、指定された部分コピー領域と当該原稿領域とが一部でも重なる場合には印刷を実行するので、請求項１記載の発明と同様の効果が得られる。
また、請求項６記載の発明では、請求項５記載の発明において、複数画像ファイルまたは複数ページを連続して部分コピーする場合に、指定された部分コピー領域と当該原稿領域とがまったく重ならないために部分コピーを実行しなかったとき、後続の画像ファイルまたはページの部分コピーを実行せずに中断するか否かを選択できるので、利用者は状況に応じた対応ができる。
また、請求項７記載の発明では、請求項６記載の発明において、前記選択時点で中断しないとき、後続の画像ファイルまたはページの部分コピーで同様にして印刷が実行されなかった場合に中断するか当該画像ファイルまたはページのみスキップして続行するかを前記選択時点で選択できるので、作業効率が向上する。
【発明を実施するための最良の形態】
【０００６】
以下、図面により本発明の実施形態を詳細に説明する。但し、この実施形態に記載される構成要素、種類、組み合わせ、形状、その相対位置などは特定的な記載がない限りこの説明の範囲をそれのみに限定する主旨ではなく、単なる説明例に過ぎない。
図１は本発明の一実施形態を示す画像形成装置の概念図である。図１により、まず、画像形成手段について説明する。
本実施形態の画像形成装置は、所定の速度で回転駆動される感光ドラム３３を備えており、その周囲には、帯電チャージャ３１、光書き込み（露光）ユニット、現像ユニット３２、転写チャージャ３６、分離チャージャ３７などが配置されている。
感光ドラム３３は帯電チャージャ３１により一様に帯電され、光書き込みユニットによって図示しない画像処理部からの画像データに基づいて静電潜像を形成され、現像ユニット３２によってトナー像化（現像）される。
一方、ロール給紙部７８、７９、８０から送り出されたロール紙（転写紙）はレジストローラ７０を経由して転写チャージャ３６の位置に搬送され、転写チャージャ３６により感光ドラム３３上のトナー像を転写され、分離チャージャ３７により感光ドラム３３から分離され、定着ユニット３４、３５によって加熱・加圧され、トナーを溶融・定着され、排紙ローラ３８を経て排紙される。この搬送路上には図示していない給紙センサ、レジストセンサ、排紙センサなど、各センサが設けられており、用紙の進行状況がわかるようになっている。なお、ロール給紙部７８、７９、８０のうちの一部をロール紙でなく、定形紙を給紙させる構成にすることも可能である。
【０００７】
次に、画像読み取り手段について説明する。
図示したように、シートタイプの原稿Ｓは原稿台２０上に置かれ、原稿搬送ローラ１３にくわえ込ませることによって搬送される。搬送された原稿は原稿レジストセンサ１８を経た後、原稿読み取りユニット１７および白ローラ１６によって搬送かつ読み取られ、原稿排紙ローラ１４によって上部ｃ、または背部ａ、ｂに排出される。なお、広幅複写装置の特徴として、原稿および転写紙は基本的には幅方向のみが定型サイズになっている。
原稿サイズセンサ（幅方向のみの検知）は各定型サイズ（Ａ４、Ａ３、Ａ２、Ａ１、Ａ０、またはＢ４、Ｂ３、Ｂ２、Ｂ１および海外定型サイズ）のみを検出可能である。
長さ方向に関しては、例えば、原稿搬送時に先端検出時から後端検出時までの所要時間から長さを求め、その長さを転写紙に反映させる。もちろん転写紙を指定した定型サイズにカットすることも可能である。また、この実施形態の場合のように大サイズ対応の広幅画像形成装置では、転写紙サイズの如何にかかわらず原稿の画像は必ず全て読み取る。
以下、本実施の形態の画像形成装置の動作を説明する。
部分コピーの場合、コピー時には部分コピーを行う領域を指定する。図２に示したような操作パネル１とテンキーを用いて部分コピー領域（長さ方向）の始点と終了点を例えばｍｍ単位の数値で指定するのである。不定形（長さ方向）として読み取られた画像データは前記のようにして原稿搬送時に求めたｍｍ単位の原稿長（長さ方向）とともにいったんメモリ領域に記憶され、前記始点および終了点を基に部分コピー領域の画像を出力する。なお、ｍｍ単位で示される始点や終了点など各位置の画像データがメモリ領域のどこに格納されているかは主走査方向および副走査方向の画素密度から算出できる。
記憶されている複数ページの部分コピー時は、始めに部分コピー領域を指定してコピースタートを指示する。そのとき、当該ページの部分コピーが問題なく実行可能であればそのまま実行されるが、後述するように、ロール紙出力で、指定した部分コピー領域が完全に原稿の外にある場合は、指定された部分コピー領域に原稿が全く存在しないので、いったん中断して次の動作を利用者に選択させる。
ここでは、図３に示したように、以後全て中止、当該ページをスキップして続行、当該ページおよび後続の同様のページをスキップして続行の３つの中から利用者に選択させる。
【０００８】
以下、さまざまな状況における部分コピー動作を示す。下記のようにさまざまな状況が発生するのは、１つは、原稿を表示する表示手段を持ち、画面上で部分コピー領域を指定するのではないことによる。
（１）部分コピー指定領域よりも小さな定型紙を転写紙として選択した場合（図４（ａ）参照）
・指定したサイズの転写紙に出力
・はみ出した部分コピー領域は切り捨て
・出力した転写紙サイズの画像データをコピー画像データとして保存する
（２）部分コピー指定領域よりも大きな定型紙を選択した場合（図４（ｂ）参照）
・部分コピー領域の外側は白紙で出力する
・白紙領域を含む転写紙サイズの画像データをコピー画像データとして保存する
（３）ロール紙出力で、部分コピー領域が原稿内に収まっている場合（図４（ｃ）参照）
・部分コピー領域のサイズでロール紙をシンクロカット
・転写紙サイズ（＝部分コピーサイズ）の画像データをコピー画像データとして保存する
（４）ロール紙出力で、部分コピー領域が原稿をはみ出している場合（図４（ｄ）参照）
・転写紙サイズは部分コピーサイズ
・原稿のない部分は白紙で出力する
・白紙領域を含む転写紙サイズの画像データをコピー画像データとして保存する
（５）ロール紙出力で、指定した部分コピー領域が完全に原稿の外にある場合（図なし）
・読み取り終了後、印刷出力せずにコピー中断
なお、部分コピー可能サイズはメモリ搭載量によって決まる記憶可能なサイズまでであり、例えばＡ０サイズまたは３６×４８インチまで可能なメモリを搭載しておく。
【０００９】
図５は、本実施の形態に係る画像形成装置の制御系の構成を示したブロック図である。この図に示すように、画像形成装置は、当該画像形成装置全体の制御を行うコントローラ１０１、コントローラ１０１に接続された、操作制御部１０２、画像データを記憶するＨＤＤ（ハードディスク記憶装置）１０３、およびＬＡＮインタフェース部１０４、汎用ＰＣＩバスを介してコントローラ１０１に接続されたＦＣＵ（ＦＡＸコントロールユニット）１０５、原稿画像の読み取りや転写紙への印刷出力を制御するエンジン制御部１０６、原稿上の画像を光学的に読み取るＣＩＳ（Contact Image Sensor）１０８と読み取られた画像信号の信号処理を行う画像信号処理部１０９から成るＣＩＳユニット１０７、および画像データに従って感光体ドラム上への書き込みを行うＬＰＨ（Led Print Head）１１０などを備えている。なお、ＬＰＨ（１）〜（４）はＬＰＨ１１０を構成しているＡ０サイズ対応のための４本のＡ４サイズＬＰＨである。
ＣＩＳユニット１０７は、移動原稿に対する原稿照明光源の照射も行い、ＣＩＳ１０８に原稿像を結像させ、この原稿像つまり原稿からの反射光をＣＩＳ１０８が光電変換して画像信号を生成する。この際、ＣＩＳ１０８はＥＶＥＮｃｈ／ＯＤＤｃｈの画像信号を生成し、画像信号処理部１０９内のアナログＡＳＩＣ１２７に入力する。画像信号処理部１０９には、ＣＩＳ１０８やアナログＡＳＩＣ１２７の駆動タイミングを発生する回路も備えている。
ＣＩＳ１０８の出力はアナログＡＳＩＣ１２７内のサンプルホールド回路によりサンプルホールドされ、その後、ＡＳＩＣ１２７内のＡ／Ｄ変換回路により画像データに変換され、シェーディング補正され、出力Ｉ／Ｆ（インタフェース）１２８により画像データバスを介してエンジン制御部１０６内のＩＰＰ（Image Processing Processor；画像データ処理器）１１９に送出される。アナログＡＳＩＣ１２７が３つ設けられているのはＣＩＳ１０８が読み取った読み取りブロックを３分割して独立に駆動するためである。
【００１０】
前記ＩＰＰ１１９は画像処理を行うプログラマブルな演算処理手段であり、画像が文字領域か写真領域かを判定して分離する像域分離、地肌除去、画像入力側ガンマ変換、フィルタ処理、色補正、変倍、画像加工、画像出力側ガンマ変換、および階調処理などを行う。このような構成で、画像信号処理部１０９からＩＰＰ１１９へ転送された画像データは、光学系で生じた信号劣化およびデジタル信号への量子化に伴う信号劣化など画像読み取り系の信号劣化をＩＰＰ１１９により補正され、ＣＰＵ１１８によりコントローラ１０１内のフレームメモリ１１７に書き込まれる。
コントローラ１０１は、前記フレームメモリ１１７のほか、図示したように、プログラムに従ってコントローラ１０１内の制御を行うＣＰＵ１１１、そのプログラムを内蔵しているＲＯＭ１１２、ＣＰＵ１１１が使用する作業用メモリであるＲＡＭ１１３、ＳＲＡＭ１１４、リチウム電池を内臓してＳＲＡＭ１１４のバックアップ用メモリとして機能するとともに時計回路も内臓したＮＶ−ＲＡＭ１１５、コントローラ１０１のシステバス制御やフレームメモリ１１７の制御やＦＩＦＯなどＣＰＵ周辺を制御するＡＳＩＣ１１６、および図示しないインタフェース回路などを備えている。
ＲＡＭ１１３は例えば印刷出力時に画像展開（テキストデータからイメージデータへの変換）の作業用メモリとして用いる。また、フレームメモリ１１７は、電源が供給され続けている状態で即座に印刷される読み取り画像データや印刷出力するイメージデータを一時的に蓄える作業用メモリである。
ＮＶ−ＲＡＭ１１５に内蔵された時計回路は内部に搭載された水晶発振器の基準クロックを計数して日時を発生させている。また、コントローラ１０１内のＣＰＵ１１１は装置やユニットの使用開始時に操作パネル１やテンキーを持つ操作部から使用可能期限日時を入力させ、入力された日時をＮＶ−ＲＡＭ１１５の内部レジスタに設定する。その後、電源投入時ごとに設定した日時を参照して使用可能期限の検出に使用する。新しい装置やユニットが着装された場合も、使用開始日時を設定して、使用可能期限の検出に使用できる。
【００１１】
コントローラ１０１は、スキャナアプリケーション、ファクシミリアプリケーション、プリンタアプリケーション、ドキュメントボックスアプリケーション、およびコピーアプリケーションなど、複数アプリケーションの機能を有し、画像形成装置全体の制御を行う。また、操作制御部１０２からの入力を解読して、この画像形成装置に設定された設定内容とその状態内容を操作パネル１に表示する。また、ＰＣＩバスは、他のユニットと接続されており、画像データバス／制御コマンドバスを有し、そのバスにより画像データと制御コマンドを時分割で転送する。
ＬＡＮインタフェース部１０４は社内ＬＡＮに接続されている。社内ＬＡＮとコントローラ１０１との通信インタフェースであり、ＰＨＹ（物理層）チップを搭載している。ＬＡＮインタフェース部１０４とコントローラ１０１とは、ＰＨＹチップＩ／ＦおよびＩ２ＣバスＩ／Ｆなど標準的な通信インタフェースで接続されている。外部機器との通信はこのＬＡＮインタフェース部１０４を経由して実施される。
ＨＤＤ１０３は、この画像形成装置のアプリケーションプログラム、画像形成手段などの機器付勢情報であるアプリケーションデータベース、読み取った画像データや印刷用のイメージデータ（画像データ）、テキストデータなどを蓄える。このＨＤＤ１０３はコントローラ１０１に接続されているが、その物理インタフェースおよび電気的インタフェースは共にＡＴＡ／ＡＴＡＰＩ−４に準拠したインタフェースである。
操作制御部１０２は、ＣＰＵ１３１、ＲＯＭ１３２、ＲＡＭ１３３、およびキー入力・表示を制御するＡＳＩＣであるＬＣＤＣ１３４を備えている。ＲＯＭ１３２には、操作制御部１０２の行う入力制御および表示出力制御のための制御プログラムなどが書き込まれている。ＲＡＭ１３３はＣＰＵ１３１が使用する作業用メモリである。このような構成で、この操作制御部１０２では、コントローラ１０１との通信により、操作パネル１（図２参照）を有する操作部を操作して利用者がシステム設定の入力を行う入力や、利用者に示す設定内容および状態の表示など、表示および入力の制御を行う。
【００１２】
エンジン制御部１０６は、ＣＰＵ１１８およびＩＰＰ１１９、複写や印刷出力を制御するためのプログラムを内蔵したＲＯＭ１２０、その制御の際に用いるＲＡＭ１２１、およびＮＶ−ＲＡＭ１２２を備え、主として作像制御を行う。その１つは、コントローラ１０１内のＲＡＭ１１３から出力された画像データをＬＰＨ１１０の書き込み回路に入力する制御である。書き込み回路では画像データに基づいて電流制御（変調制御）を行い、各ＬＰＨ（１）〜（４）に出力する。ＮＶ−ＲＡＭ１２２には、ＳＲＡＭ、および電源オフ時にデータを保存しておくメモリを搭載している。
また、インタフェース回路１２３やＩ／ＯＡＳＩＣ１２４も備えている。Ｉ／ＯＡＳＩＣ１２４は、画像形成装置機構部のモータ（Ｍ）、ソレノイド（ＳＯＬ）、クラッチ（ＣＬ）などの駆動制御を行うが、Ｉ／ＯＡＳＩＣ１２４の行う制御には、トナーエンドドセンサ、Ｐセンサ、Ｔセンサなどからの信号を検知して行うアナログ制御も含まれる。インタフェース回路１２３はシリアルインタフェースで非接触通信回路１２５に接続されている。非接触通信回路１２５は装置やユニットに搭載されたＩＣタグとの通信を行う。
エンジン制御部１０６内のＣＰＵ１１８は、コピーごとまたは一連のコピージョブの終了後、コピー枚数やコピー用紙サイズを装置やユニットのＩＣタグに送信する。そのＩＣタグは受け取った情報を使用履歴として記憶しておき、装置やユニット、またはその装置・ユニットを構成する部品の寿命検知に用いる。また、ＣＰＵ１１８はトナーエンドセンサの出力を読み込み、剤カートリッジに搭載されたＩＣタグにトナー残量が“０”になったことを書き込む。
ＰＳＵ（電源供給ユニット）１４０はこの画像形成装置を制御するための電源を供給する。メインＳＷ（スイッチ）により商用電源が供給される。このメインＳＷが入った場合も装置やユニットの装着確認を行う。
なお、本実施の形態では、請求項記載の領域指定手段が操作パネル１および図示しないテンキーにより実現され、出力制御手段がＣＰＵ１１１およびＣＰＵ１１８により実現され、画像記憶手段がＨＤＤ１０３により実現される。
【００１３】
図６に、この実施例の動作フローを示す。以下、図６にしたがって、この動作フローを説明する。なお、この動作フローは１文書が複数ファイルから成っている例であり、例えば複数ページの文書の場合、１ページが１ファイルである。
まず、利用者が、印刷対象の１つの文書と、部分コピーの開始位置および終了位置を操作パネル１とテンキーにより指定し、その指定を受けて、ＣＰＵ１１１が指定された文書の最初の画像ファイルをＨＤＤ１０３から読み出す（Ｓ１）。そして、ＣＰＵ１１１はこの画像ファイルの画像データが部分コピー可能か否かを判定する（Ｓ２）。なお、部分コピーが可能か否かは指定された部分コピーの開始位置が原稿領域内か否かで判定し、原稿領域内であれば可能と判断する。終了位置は原稿領域外でも問題ない。また、開始位置と終了位置の逆転は操作部から入力できないようにガードしている。
前記において、部分コピー可能と判定されたならば（Ｓ２でＹ）、ＣＰＵ１１１は指定された部分コピーを実行する（Ｓ３）。そして、次の画像ファイルの読み取りへ進み（Ｓ４）、指定されている文書についてすべての画像ファイルの印刷を終了したか否かを判定する（Ｓ５）。こうして、印刷終了でないと判定されたならば（Ｓ５でＮ）、ステップＳ１へ戻り、次の画像ファイルについて画像ファイルの読み出しから繰り返す。また、印刷終了と判定されたならば（Ｓ５でＹ）、この動作フローを終了させる。
一方、ステップＳ２において、部分コピーが不可能と判定されたならば（Ｓ２でＮ）、ＣＰＵ１１１は全スキップ（図３に示した３）選択済みか否かを判定する（Ｓ６）。そして、選択済みであれば（Ｓ６でＹ）、ステップＳ４へ進む。
それに対して、全スキップ選択済みでないならば（Ｓ６でＮ）、ＣＰＵ１１１は図３に示したような画面を表示させ、全て中止か、当該ファイル（複数ページのファイルであれば当該ページ）をスキップして続行、全スキップ（当該ファイルおよび後続の同様のファイルをスキップ）のなかから１つを選択させる（Ｓ７）。そして、全て中止が選択されたならば（Ｓ７でＹ）、この動作フローを終了させ、中止でないならば（Ｓ７でＮ）、ステップＳ４へ進む。
こにようにすれば、記憶されている文書ファイル（画像データ）についても部分コピーができるし、部分コピーの領域指定の際に終了位置として原稿領域外を指定した場合でも最後まで実行できる。
【図面の簡単な説明】
【００１４】
【図１】本発明の一実施形態を示す画像形成装置の概念図。
【図２】本発明の一実施例を示す画像形成装置要部の説明図。
【図３】本発明の一実施例を示す画像形成装置要部の他の説明図。
【図４】本発明の一実施例を示す部分コピー動作の説明図。
【図５】本発明の一実施例を示す画像形成装置の要部の構成を示したブロック図。
【図６】本発明の一実施例を示す画像形成装置要部の動作フロー図。
【図７】従来技術の一例を示す部分コピー方法の説明図。
【符号の説明】
【００１５】
１  操作パネル、１０１  コントローラ、１０２  操作制御部、１０３  ハードディスク記憶装置、１０６  エンジン制御部、１０７  ＣＩＳユニット、１１１  ＣＰＵ、１１８  ＣＰＵ
【図１】
2006154147.tif 000003
【図２】
2006154147.tif 000004
【図３】
2006154147.tif 000005
【図４】
2006154147.tif 000006
【図５】
2006154147.tif 000007
【図６】
2006154147.tif 000008
【図７】
2006154147.tif 000009